(57)【要約】      （修正有）【課題】使い勝手の良いフリーザーバッグ用小分け器具を得る。【解決手段】フリーザーバッグ用小分け器具は、一端側が回動可能に連結された下部材３と上部材５からなり他端に下部材３と上部材５を着脱可能に連結する係合部を有してなるクリップ部材７と、下部材３と嵌合する切欠き部２３を有すると共に下部材３と交差方向に配置される仕切り部材９を備え、クリップ部材７は、上部材５の下面側に軸線方向に伸びる溝部１７が形成され、下部材３には溝部１７に挿入可能な凸条部１１が形成され、クリップ部材７を閉じると凸条部１１が溝部１７に挿入可能になっていることを特徴とする。【選択図】図１
2013039955.tif 000002
【特許請求の範囲】
【請求項１】
一端側が回動可能に連結された下部材と上部材からなり他端に前記下部材と上部材を連結する係合部を有してなるクリップ部材と、前記下部材と嵌合する切欠き部を有すると共に前記下部材と交差方向に配置される仕切り部材を備え、
前記クリップ部材は、前記上部材の下面側に軸線方向に伸びる溝部が形成され、前記下部材には前記溝部に挿入可能な凸条部が形成され、前記クリップ部材を閉じると前記凸条部が前記溝部に挿入可能になっていることを特徴とするフリーザーバッグ用小分け器具。
【請求項２】
前記クリップ部材における下部材の下部にはクリップ部材を安定載置するための台部が設けられていることを特徴とする請求項１記載のフリーザーバッグ用小分け器具。
【請求項３】
前記仕切り部材には複数の切欠き部を備え、複数のクリップ部材と嵌合可能になっていることを特徴とする請求項１又は２記載のフリーザーバッグ用小分け器具。
【請求項４】
前記クリップ部材には、前記仕切り部材と嵌合可能な嵌合部が複数箇所に設けられていることを特徴とする請求項１乃至３のいずれか一項に記載のフリーザーバッグ用小分け器具。
【請求項５】
一端側が回動可能に連結された下部材と上部材からなり他端に前記下部材と上部材を連結する係合部を有してなるクリップ部材と、前記下部材と嵌合する切欠き部を有すると共に前記下部材と交差方向に配置されて前記下部材に取付可能な下仕切り部材と、前記上部材と嵌合する切欠き部を有すると共に前記上部材と交差方向に配置されて前記上部材に取付可能な上仕切り部材とを備えてなることを特徴とするフリーザーバッグ用小分け器具。
【請求項６】
前記下仕切り部材には複数の切欠き部を備え、複数のクリップ部材の下部材と嵌合可能になっており、
前記上仕切り部材には複数の切欠き部を備え、複数のクリップ部材の上部材と嵌合可能になっていることを特徴とする請求項５記載のフリーザーバッグ用小分け器具。
【請求項７】
前記クリップ部材の下部材には、前記下仕切り部材と嵌合可能な嵌合部が複数箇所に設けられ、前記クリップ部材の上部材には、前記上仕切り部材と嵌合可能な嵌合部が複数箇所に設けられていることを特徴とする請求項５又は６記載のフリーザーバッグ用小分け器具。
【発明の詳細な説明】
【技術分野】
【０００１】
本発明は、離乳食等の柔らかい食品をフリーザーバッグに入れて冷凍する際に用いるものであって、冷凍した食品を小分けできるようにするフリーザーバッグ用小分け器具ものである。
【背景技術】
【０００２】
離乳食、カレー、ホワイトソース等の柔らかい食材を冷凍保存する場合、一般に、市販のフリーザーバッグに入れ冷蔵庫等で保存する。これら冷凍した食材を解凍する際、従来、使用する分量に関係なく、フリーザーバッグ全体をそのまま解凍していたため、不要な分を廃棄したり、再度冷凍しなおしたりする等、不経済であった。
そこで、必要な分だけを解凍できるように、冷凍する際に割線をつける器具が用いられている。割線をつけることで、冷凍した食材を手で容易に割ることができ、必要な分のみを取り出すことができる。
【０００３】
このような冷凍した食品に割線をつける器具として例えば、特許文献１に開示されるフリージングパック仕切りクリップ棒がある。特許文献１の図面を参照すると、特許文献１に記載のクリップ棒は、一端側が回動可能で他端側を留め具で固定するクリップ棒２本で構成され、その使用方法に関し、特許文献１には次のように記載されている。「フリージングパックに冷凍保存したい食材を入れ、自由自在に動かせる様に固定している片方の端を持ち、フリージングパックに書かれている線の等分したい箇所にクリップ棒の下部を下方から等分したい分だけ、クリップ棒の下部にある凹み部分を凹み部分同士結合させる。下部が決まれば上部を挟み込みもう片方の端を留め具で固定させる。上部にも凹み部分があるので、順に留め具で固定する。食材をしようする際には、クリップ棒をすべて外し、クリップ棒をしていていた部分が薄くなっている為、簡単に手で割ることが出来るので必要量を使用する事が可能となる」（特許文献１の段落［０００９］参照）。
【先行技術文献】
【特許文献】
【０００４】
【特許文献１】実用新案登録第３１５４８０８号公報
【発明の概要】
【発明が解決しようとする課題】
【０００５】
しかし、特許文献１に開示された器具は、独立した２本のクリップ棒のそれぞれの端部を留め具で止めるため、各クリップ棒について留め具で留める作業が必要となり、煩雑であり使い勝手が悪いという問題がある。
【０００６】
本発明はかかる課題を解決するためになされたものであり、使い勝手のよいフリーザーバッグ用小分け器具を得ることを目的としている。
【課題を解決するための手段】
【０００７】
（１）本発明に係るフリーザーバッグ用小分け器具は、一端側が回動可能に連結された下部材と上部材からなり他端に前記下部材と上部材を連結する係合部を有してなるクリップ部材と、前記下部材と嵌合する切欠き部を有すると共に前記下部材と交差方向に配置される仕切り部材を備え、
前記クリップ部材は、前記上部材の下面側に軸線方向に伸びる溝部が形成され、前記下部材には前記溝部に挿入可能な凸条部が形成され、前記クリップ部材を閉じると前記凸条部が前記溝部に挿入可能になっていることを特徴とするものである。
【０００８】
（２）また、上記（１）に記載のものにおいて、前記クリップ部材における下部材の下部にはクリップ部材を安定載置するための台部が設けられていることを特徴とするものである。
【０００９】
（３）また、上記（１）又は（２）に記載のものにおいて、前記仕切り部材には複数の切欠き部を備え、複数のクリップ部材と嵌合可能になっていることを特徴とするものである。
【００１０】
（４）また、上記（１）乃至（３）のいずれかに記載のものにおいて、前記クリップ部材には、前記仕切り部材と嵌合可能な嵌合部が複数箇所に設けられていることを特徴とするものである。
【００１１】
（５）本発明に係るフリーザーバッグ用小分け器具は、一端側が回動可能に連結された下部材と上部材からなり他端に前記下部材と上部材を連結する係合部を有してなるクリップ部材と、前記下部材と嵌合する切欠き部を有すると共に前記下部材と交差方向に配置されて前記下部材に取付可能な下仕切り部材と、前記上部材と嵌合する切欠き部を有すると共に前記上部材と交差方向に配置されて前記上部材に取付可能な上仕切り部材とを備えてなることを特徴とする。
【００１２】
（６）また、上記（５）に記載のものにおいて、前記下仕切り部材には複数の切欠き部を備え、複数のクリップ部材の下部材と嵌合可能になっており、
前記上仕切り部材には複数の切欠き部を備え、複数のクリップ部材の上部材と嵌合可能になっていることを特徴とするものである。
【００１３】
（７）また、上記（５）又は（６）に記載のものにおいて、前記クリップ部材の下部材には、前記下仕切り部材と嵌合可能な嵌合部が複数箇所に設けられ、前記クリップ部材の上部材には、前記上仕切り部材と嵌合可能な嵌合部が複数箇所に設けられていることを特徴とするものである。
【発明の効果】
【００１４】
本発明に係るフリーザーバッグ用小分け器具は、一端側が回動可能に連結された下部材と上部材からなり他端に前記下部材と上部材を連結する係合部を有してなるクリップ部材と、前記下部材と嵌合する切欠き部を有すると共に前記下部材と交差方向に配置される仕切り部材を備え、
前記クリップ部材は、前記上部材の下面側に軸線方向に伸びる溝部が形成され、前記下部材には前記溝部に挿入可能な凸条部が形成され、前記クリップ部材を閉じると前記凸条部が前記溝部に挿入可能になっているので、フリーザーバッグを略等分するための載置が容易であり、かつクリップ部材を閉じるだけでセットができるので、使い勝手に極めて優れているという効果がある。
【図面の簡単な説明】
【００１５】
【図１】本発明の一実施の形態におけるフリーザーバッグ用小分け器具の説明図であり、クリップ部材を開いた状態を示している。
【図２】図１に示したフリーザーバッグ用小分け器具を構成する各部品の説明図である。
【図３】図１に示したフリーザーバッグ用小分け器具の説明図であり、クリップ部材を閉じた状態を示している。
【図４】図１に示したフリーザーバッグ用小分け器具にフリーザーバッグを載置する際の配置関係を示した図である。
【図５】図１に示したフリーザーバッグ用小分け器具の使用状態を説明する説明図である。
【図６】図１に示したフリーザーバッグ用小分け器具の他の組み合わせ態様を示した図である。
【図７】本発明の他の実施の形態のフリーザーバッグ用小分け器具の説明図であり、クリップ部材を開いた状態を示している。
【図８】図７に示したフリーザーバッグ用小分け器具を構成する各部品の説明図である。
【図９】本発明の他の実施の形態のフリーザーバッグ用小分け器具の説明図であり、クリップ部材を閉じた状態を示している。
【図１０】図７に示したフリーザーバッグ用小分け器具の他の組み合わせ態様を示した図である。
【図１１】図１に示したフリーザーバッグ用小分け器具の六面図を示した図である。
【図１２】図７に示したフリーザーバッグ用小分け器具の六面図を示した図である。
【発明を実施するための形態】
【００１６】
〔実施の形態１〕
本実施の形態１にかかるフリーザーバッグ用小分け器具１を図に基づいて説明する。
フリーザーバッグ用小分け器具１は、棒状の下部材３と上部材５からなり、下部材３と上部材５は一端が回動可能に連結され、他端の係合部で係合するクリップ部材７（図２（ａ）参照）と、クリップ部材７の下部材３の下嵌合部１９と交差方向に係合する仕切り部材９（図２（ｂ）参照）からなる。
図１にはフリーザーバッグを６分割する態様のものが示されているが、これを構成する最小単位の部材が図２に示されている。
【００１７】
＜クリップ部材＞
クリップ部材７は、棒状の下部材３と上部材５からなり、下部材３と上部材５は一端が回動可能に連結されている。
下部材３と上部材５を回動可能に連結する方法は特に限定されないが、本例では水平方向に伸びる棒状の軸片を回転軸として枢着する例が示されている。なお、回動部は、クリップ部材７を開いたときに開いた状態の任意の角度で保持できるように角度保持可能な構造にしてもよい。このようにすることで、フリーザーバッグを載置する際に上部材５が閉じないように保持する必要がなくなり、使い勝手がよりよくなる。
【００１８】
下部材３の上面側には軸線方向に伸びる凸条部１１が形成されている。また、下部材３の回動側とは反対の先端には係止部１３が形成されている。係止部１３は側面下部から長手方向に伸びその後上向きに湾曲して伸びる略Ｕ字の形状を天地逆にしたような形状をしている。係止部１３は弾性を有する素材で形成され、前記湾曲部は撓むことができる。
【００１９】
また、下部材３の側面下部には、下部材３の幅方向に広がるように台部１５が形成されている。台部１５の上面は、クリップ部材７を閉じる際に上部材５と当接し、上部材５の回動の際のストッパーとしての機能を有している。また、台部１５はクリップ部材７をテーブル等に載置する際に安定させる機能も有している。また、下部材３の載置面に台部１５を設けることにより、台部１５が設けられた面がテーブルに載置する面であるこということが使用者に直感的にわかりやすく、このため使用時の取扱いが簡便となる。
また、下部材３の凸条部１１の中央には、仕切り部材９と交差方向に嵌合するための下嵌合部１９が設けられている。
【００２０】
上部材５には、クリップ部材７を閉じる際に凸条部１１が挿入可能な溝部１７が上部材５の下面に軸線方向に伸びるように形成されている。
上部材５の先端にはクリップ部材７を開閉操作するための操作部１０が設けられており、操作部１０には親指と人差し指で把持しやすいようにくぼみ部１２が設けられている。操作部１０の先端面には、下部材３の係止部１３に係止するテーパ状の係合部１４が設けられている。クリップ部材７を閉じる際に、係合部１４のテーパ面は、下部材３の係止部１３と当接して係止部１３を撓ませ、係止部１３がテーパ面を乗り越えてテーパ面の上の緩やかな傾斜面に係止する。つまり、クリップ部材７を閉じるだけで係合部１４が係止部１３に係止する。
【００２１】
上部材５の中央には、下部材３に仕切り部材９を取り付けた状態でクリップ部材７を閉じたときに、仕切り部材９の上端が挿入可能な上嵌合部２１が設けられている。なお、クリップ部材７を閉じる際に、フリーザーバッグ４１を挟み込めるように、上嵌合部２１は余裕を持った大きさに形成されており、また挟み込まれるフリーザーバッグ４１が破れないように上嵌合部２１の角は丸めてある。
【００２２】
クリップ部材７を閉じると、下部材３の凸条部１１が上部材５の溝部１７に挿入され、溝部１７の縁と台部１５の上面が当接する。
【００２３】
＜仕切り部材＞
仕切り部材９は板状体から成り、下部材３の下嵌合部１９と嵌合することで下部材３に取り付けられる。取り付けられた状態では、図１に示すように、クリップ部材７に対して垂直となる。
仕切り部材９の下面には３か所の略コ字状の同一形状の切欠きを有し、切欠きは中央に１か所（切欠き部２３）とその両側に１か所ずつ（切欠き部２５）設けられている。また、仕切り部材９の上面における切欠き部２３と対応する位置には切欠き部２７が形成されている。また、仕切り部材９の上面における切欠き部２５と対応する位置にはくびれ部２９が形成されている。切欠き部２７とくびれ部２９の最下部の上面は同じ高さに設定されている。また、仕切り部材９の切欠き部２５を下部材３の下嵌合部１９に嵌合させると、くびれ部２９の上面と下部材３の凸条部１１の上面が略同一となる。
また、フリーザーバッグ４１を載置する際に、くびれ部２９によって内容物に滑らかな割線をつけることができる。
【００２４】
以下、フリーザーバッグ４１に入った離乳食を６分割する使用方法について説明する。
フリーザーバッグ４１は一般的なＭサイズ（容量７００ml〜８００ml）を用い、中に入れる離乳食は３００ml程度とする。内容物となる離乳食はミルク粥などの液状のものとする。以下、使用方法について工程順に番号を付して説明する。
【００２５】
１．クリップ部材７を開いて、クリップ部材７の２つの台部１５と下部材３がなす面が下になるようにテーブル上の２つ平行に載置する。
【００２６】
２．２つのクリップ部材７における各下部材３に仕切り部材９を略直交するように配置して、下嵌合部１９と切欠き部２５を嵌合させて組み合わせる。（図１を参照）。
【００２７】
３．組み合わせた下部材３と仕切り部材９の上にフリーザーバッグ４１を載置する。このときフリーザーバッグ４１のジップ部４５がクリップ部材７に挟まれないように、ジップ部４５がクリップ部材７に平行になるように載置する（図４を参照）。ジップ部４５は比較的固いために、クリップ部材７を閉じる際に、余計な力が必要になる上、ジップ部４５やクリップ部材７を破損してしまう可能性があるからである。
【００２８】
フリーザーバッグ４１を下部材３と仕切り部材９の上に載置する際、前記組み合わせた下部材３と仕切り部材９が定規として機能し、６等分の目安とすることができる。そのため、使用者はフリーザーバッグ４１を単に置くだけで約６等分にすばやくすることができるという効果がある。
また、組み合わせた下部材３と仕切り部材９が安定してテーブル等に載置されているため、使用者は両手が自由となる。このため、内容物が偏っている場合など使用者は両手を使って内容物を均等に均したりすることができる。
このように、本実施の形態のフリーザーバッグ用小分け器具１を用いることで、手間なく内容物を約６等分することができる。
【００２９】
４．クリップ部材７を閉じる（図５を参照）。
クリップ部材７を閉じると、フリーザーバッグ４１における下部材３の凸条部１１に載置されている部位が溝部１７の縁によって台部１５の上面まで押し下げられ、溝部１７の縁と台部１５によって挟まれる。この押し下げによって台部１５の上方にあった内容物はクリップ部材７の両側に押しやられ、これによって内容物にはクリップ部材７の軸方向の割筋が付けられる。
また、フリーザーバッグ４１が溝部１７の縁によって台部１５の上面まで押し下げられると、フリーザーバッグ４１における仕切り部材９上に載置されている部位は相対的に仕切り部材９によって押し上げられ、これによって内容物は仕切り部材９によって滑らかな割筋が付けられる。つまり、仕切り部材９は上下からフリーザーバッグ４１を挟み込むものではないが、クリップ部材７の機能と共同することで、単一の部材でありながら内容物に対して割筋をつけることができる。
フリーザーバッグ４１においてジップ部４５がある方を上とみなすと、内容物はクリップ部材７によって上下に３分割され、３分割されたものが左右に２分割されて６分割されることになる。
【００３０】
５．冷凍する。
フリーザーバッグ４１をフリーザーバッグ用小分け器具１で挟んだ状態で冷凍する。
固まった内容物を割筋に沿って割ったり、フリーザーバッグ４１から取り出したりする場合、少し解凍してからが行うのが好ましい。冷蔵庫から取り出した直後は、内容物にフリーザーバッグ４１が張り付いているため、力を加えるとフリーザーバッグ４１が破れてしまう可能性があるためである。
【００３１】
以上のように本実施の形態のフリーザーバッグ用小分け器具１によれば、フリーザーバッグ４１を略等分するための載置が容易であり、かつクリップ部材７を閉じるだけでセットができるので、使い勝手に極めて優れているという効果がある。
また、本実施の形態のフリーザーバッグ用小分け器具１は仕切り部材９が上下の組みではなく単一であることから部品点数を少なくできるという効果がある。
【００３２】
なお、上記の例では、クリップ部材７を２つと仕切り部材９を１つ用いた組み合わせについて説明したが、図６に示すフリーザーバッグ用小分け器具２のように、クリップ部材７と仕切り部材９を１つずつ用いて、下嵌合部１９と切欠き部２３を嵌合させるように組み合わせることで、内容物を４等分にすることができる。また、クリップ部材７のみを用いれば、内容物を２分割にすることができる。さらに、クリップ部材７と仕切り部材９の数は特に限定されず、一例を挙げればクリップ部材７を２つと仕切り部材９を２つという組合せでもよいし、あるいはクリップ部材７を１つに仕切り部材９を２つという組合せでもよい。
【００３３】
なお、本実施の形態に係るフリーザーバッグ用小分け器具１の形状を正確に示すために、図１１に本実施の形態の６面図及び矢視断面図を示してある。図１１（ａ）は右側面図、図１１（ｂ）は正面図、図１１（ｃ）は左側面図、図１１（ｄ）は背面図、図１１（ｅ）は平面図、図１１（ｆ）は底面図、図１１（ｇ）は図１１（ｆ）中のＡ−Ａ矢視断面を示す。
【００３４】
〔実施の形態２〕
本実施の形態２にかかるフリーザーバッグ用小分け器具５１を図に基づいて説明する。図中に実施の形態１と同じものを示す場合は同じ符号を付してある。
図７はフリーザーバッグを６分割する態様のものが示されているが、これを構成する最小単位の部材が図８に示されている。
まず、図８に基づいて本実施の形態のフリーザーバッグ用小分け器具５１について説明する。
【００３５】
本実施の形態のフリーザーバッグ用小分け器具５１は、一端側が回動可能に連結された下部材５３と上部材５５からなり他端に前記下部材と上部材を連結する係合部７１を有してなるクリップ部材５７と、下部材５３と嵌合する下切欠き部６７を有すると共に下部材５３と交差方向に配置されて下部材５３に取付可能な下仕切り部材５９と、上部材５５と嵌合する上切欠き部６９を有すると共に上部材５５と交差方向に配置されて上部材５５に取付可能な上仕切り部材６１とを備えてなる。
各構成をさらに詳細に説明する。
【００３６】
＜クリップ部材＞
クリップ部材５７は、一端側が回動可能に連結された下部材５３と上部材５５からなる。上部材５５と下部材５３を回動可能に連結する方法は特に限定されないが、本例では下部材５３と上部材５５が樹脂ヒンジによって連結されたものを示している。
【００３７】
下部材５３は、略コ字状の断面をもつ棒状体からなり、略コ字状の開口側が下面、すなわちテーブルに対する載置面になる。
下部材５３の上面側中央に下仕切り部材５９の下切欠き部６７と嵌合するための略コ字状の下嵌合部６３を有している。
また、下部材５３の先端上部には凸状の係合部７１が形成されている。
【００３８】
上部材５５は、下部材５３と同様に略コ字状の断面を有する棒状体からなり、略コ字状の開口側が上側になっている。また、上部材５５の下面側中央に上仕切り部材６１の上切欠き部６９と嵌合するための略コ字状の上嵌合部６５を有している。
上部材５５の先端には、下部材５３の係合部７３に係止する係止部７１が形成されている。係止部７１は、図８に示されるように、略Ｕ字状をした弾性を有する素材にて形成されている。このため、クリップ部材５７を閉じるだけで、係合部７３が係止部７１に係止する。
【００３９】
＜下仕切り部材＞
下仕切り部材５９は略コ字状の断面をもつ棒状体から成り、この略コ字状の開口側が下面側となり、下面側には下部材５３の下嵌合部６３と嵌合する下切欠き部６７が３カ所に形成されている。
下切欠き部６７を下嵌合部６３に嵌合させて下仕切り部材５９を下部材５３に取り付けると、図７に示すように、下部材５３の上面と下仕切り部材５９の上面が略面一となる。
【００４０】
＜上仕切り部材＞
上仕切り部材６１は、下仕切り部材５９と同様に略コ字状の断面をもつ棒状体から成り、この略コ字状の開口側が上面側となり、上面側には上部材５５の上嵌合部６５と嵌合する上切欠き部６９が３カ所に形成されている。
上切欠き部６９を上嵌合部６５に嵌合させて上仕切り部材６１を上部材５５に取り付けると、図１０に示すように、上部材５５の下面と上仕切り部材６１の下面が略面一となる。
【００４１】
なお、下仕切り部材５９と上仕切り部材６１は同一の形状であるから、部品点数を少なくできるという効果がある。
【００４２】
次に本実施の形態のフリーザーバッグ用小分け器具５１を用いてフリーザーバッグ４１（図４、図５参照）に入った離乳食を６等分する使用方法について説明する。
フリーザーバッグ４１、内容物は実施の形態１と同様とする。以下、使用方法を工程順の番号を付して説明する。
【００４３】
１．クリップ部材５７を開いて、クリップ部材５７の下部材５３をテーブル等に２つ平行に載置する。
【００４４】
２．下部材５３に下仕切り部材５９を上から交差させるように配置し、下嵌合部６３に下切欠き部６７を嵌合させて組み合わせる（図７参照）。
また、上部材５５に上仕切り部材６１を下から交差させるように配置し、上嵌合部６５と上切欠き部６９を嵌合させて組み合わせる（図７参照）。
【００４５】
３．組み合わせた下部材５３と下仕切り部材５９の上にフリーザーバッグ４１を載置する。このときのフリーザーバッグ４１の載置方法は実施の形態１と同様である。
また、フリーザーバッグ４１を載置する際の定規としての機能やこれに基づく利点については実施の形態１と同様である。
【００４６】
４．クリップ部材５７を閉じる（図９参照）。
クリップ部材５７を閉じると、フリーザーバッグ４１は下部材５３と上部材５５、下仕切り部材５９と上仕切り部材６１の対向する面によって挟まれて押圧される。押圧されることで、当該部分にあった内容物は当該部位の両側に押しやられ、これによって内容物に割筋が付けられる。
なお、本実施の形態では、仕切り部材が下仕切り部材５９と上仕切り部材６１の一対からなり、これらでフリーザーバッグ４１を挟むようにしているので、リップ部材５７で挟まれる側と同じ割筋をつけることができる。
【００４７】
５．冷凍する。
フリーザーバッグ４１をフリーザーバッグ用小分け器具５１で挟んだ状態で冷凍する。
解凍時の作業等は実施の形態１と同様である。
【００４８】
以上のように本実施の形態のフリーザーバッグ用小分け器具５１によれば、フリーザーバッグ４１へのセットが極めて円滑かつ簡易に行うことができるという効果がある。
【００４９】
なお、上記の例では、クリップ部材５７を２つと下仕切り部材５９及び上仕切り部材６１を各１つ用いた組み合わせについて説明したが、図１０に示すフリーザーバッグ用小分け器具５２のように、クリップ部材５７を１つと下仕切り部材５９及び上仕切り部材６１を各１つ用いた組み合わせることで、内容物を４等分にすることができる。また、クリップ部材５７のみを用いれば、内容物を２分割にすることができる。さらに、クリップ部材５７と下仕切り部材５９及び上仕切り部材６１の数は特に限定されず、一例を挙げればクリップ部材５７を２つと下仕切り部材５９及び上仕切り部材６１の組みを２つという組合せでもよいし、あるいはクリップ部材５７を１つに下仕切り部材５９及び上仕切り部材６１の組みを２つという組合せでもよい。
【００５０】
なお、本実施の形態に係るフリーザーバッグ用小分け器具５１の形状を正確に示すために、図１２に本実施の形態の６面図及び矢視断面図を示してある。図１２（ａ）は右側面図、図１２（ｂ）は正面図、図１２（ｃ）は左側面図、図１２（ｄ）は背面図、図１２（ｅ）は平面図、図１２（ｆ）は底面図、図１２（ｇ）は図１２（ｆ）中のＢ−Ｂ矢視断面を示す。
【００５１】
また、実施の形態１、２では、フリーザーバッグがＭサイズに合わせたサイズであったが、フリーザーバッグのサイズにクリップ部材と仕切り部材のサイズを合わせれば、より大きなフリーザーバッグにも問題なく適応できる。またこの際、クリップ部材７と仕切り部材９の組合せや、クリップ部材５７と下仕切り部材５９及び上仕切り部材６１の組合せを適宜変更して８分割用、１０分割用などとしてもよい。
【符号の説明】
【００５２】
１  フリーザーバッグ用小分け器具
２  フリーザーバッグ用小分け器具
３  下部材
５  上部材
７  クリップ部材
９  仕切り部材
１０  操作部
１１  凸条部
１２  くぼみ部
１３  係止部
１４  係合部
１５  台部
１７  溝部
１９  下嵌合部
２１  上嵌合部
２３  切欠き部
２５  切欠き部
２７  切欠き部
２９  くびれ部
４１  フリーザーバッグ
４５  ジップ部
５１  フリーザーバッグ用小分け器具
５２  フリーザーバッグ用小分け器具
５３  下部材
５５  上部材
５７  クリップ部材
５９  下仕切り部材
６１  上仕切り部材
６３  下嵌合部
６５  上嵌合部
６７  下切欠き部
６９  上切欠き部
７１  係合部
７３  係止部
【図１】
2013039955.tif 000003
【図２】
2013039955.tif 000004
【図３】
2013039955.tif 000005
【図４】
2013039955.tif 000006
【図５】
2013039955.tif 000007
【図６】
2013039955.tif 000008
【図７】
2013039955.tif 000009
【図８】
2013039955.tif 000010
【図９】
2013039955.tif 000011
【図１０】
2013039955.tif 000012
【図１１】
2013039955.tif 000013
【図１２】
2013039955.tif 000014